(57)【特許請求の範囲】
【請求項１】
ソケット本体上のパッケージ収容部に平面形状が矩形形状のパッケージを収容し、前記ソケット本体に開閉可能に取り付けられたソケットカバーの押圧部材で前記パッケージの表面を前記ソケット本体側へ向けて押圧することにより、前記パッケージの裏面に形成された電極を前記ソケット本体に設置されたコンタクトピンに接触させ、前記パッケージの前記電極と外部電気的テスト回路とを前記コンタクトピンで電気的に接続する電気部品用ソケットにおいて、
（１）．前記ソケット本体上の前記パッケージ収容部に隣接する位置には、前記パッケージの前記パッケージ収容部への移動を案内するパッケージガイド突起が、少なくとも、前記パッケージの一つの対角線上に位置する一対のコーナー部に隙間をもって係合するように一対形成され、
（２）．前記ソケット本体上で且つ前記一対のパッケージガイド突起の一方側には、前記押圧部材で前記パッケージの表面を前記ソケット本体側へ押圧する過程において、前記パッケージを前記一対のパッケージガイド突起の一方側から他方側へ向けて押圧し、前記パッケージのコーナー部を前記一対のパッケージガイド突起の他方側に接触させて、前記パッケージを前記ソケット本体上に位置決めするソケット本体側位置決め手段が設置され、
（３）．前記ソケットカバーには、前記押圧部材で前記パッケージを押圧する過程において、前記押圧部材を前記一対のパッケージガイド突起の他方側へ弾性的に押圧し、前記押圧部材を前記一対のパッケージガイド突起の他方側に接触させ、前記押圧部材を前記ソケット本体に対して位置決めする押圧部材側位置決め手段が設置され、
（４）．前記押圧部材には、前記ソケット本体上の前記パッケージ収容部に収容された前記パッケージの表面に形成された電極と接触し、前記パッケージの表面の電極と外部電気的テスト回路とを電気的に接続するカバー側コンタクトピンが設置された、
ことを特徴とする電気部品用ソケット。
【請求項２】
前記一対のパッケージガイド突起の他方側は、前記パッケージの前記コーナー部を形成する二側面に接触するようになっており、
前記ソケット本体側位置決め手段は、前記押圧部材で前記パッケージの表面を前記ソケット本体側へ押圧する過程において、前記ソケットカバーによって移動させられるカム部材と、前記一対のパッケージガイド突起の一方側に位置する前記パッケージの隣り合う二側面に前記カム部材によって押し付けられるパッケージ位置決めばねとを有し、
前記押圧部材側位置決め手段は、前記ソケットカバーに取り付けられ、前記押圧部材を前記ソケットカバーに対して相対変位可能に弾性的に支持する複数の支持ばねであり、前記複数の支持ばねのうちの少なくとも一つの前記支持ばねが前記押圧部材を前記一対のパッケージガイド突起の他方側に押し付けるようになっている、
ことを特徴とする請求項１記載の電気部品用ソケット。
【請求項３】
前記一対のパッケージガイド突起の他方側は、前記パッケージの前記コーナー部を形成する二側面に接触するようになっており、
前記ソケット本体側位置決め手段は、前記押圧部材で前記パッケージの表面を前記ソケット本体側へ押圧する過程において、前記ソケットカバーによって移動させられるカム部材と、前記一対のパッケージガイド突起の一方側に位置する前記パッケージの前記コーナー部の先端に前記カム部材によって押し付けられるパッケージ位置決めばねとを有し、
前記押圧部材側位置決め手段は、前記ソケットカバーに取り付けられ、前記押圧部材を前記ソケットカバーに対して相対変位可能に弾性的に支持する複数の支持ばねであり、前記複数の支持ばねのうちの少なくとも一つの前記支持ばねが前記押圧部材を前記一対のパッケージガイド突起の他方側に押し付けるようになっている、
ことを特徴とする請求項１記載の電気部品用ソケット。
【発明の詳細な説明】
【技術分野】
【０００１】
この発明は、パッケージ（電気部品）のバーンインテスト等に使用される電気部品用ソ
ケットに関するものであり、特に、表裏の両面に電極が形成されたパッケージ用の電気部
品用ソケットに関するものである。
【背景技術】
【０００２】
従来から、電気部品用ソケットは、パッケージの初期不良を取り除く工程（バーンイン
テスト等）において使用される治具として知られている。
このようなバーンインテスト等に使用される電気部品用ソケットは、パッケージをソケッ
ト本体上に収容し、そのパッケージをソケットカバーの押圧部材（プッシャー）でソケッ
ト本体側へ押圧することにより、そのパッケージの裏面に形成された複数の電極と外部電
気的テスト回路とを複数のコンタクトピンで電気的に接続することができるようになって
いる。
【０００３】
このような電気部品用ソケットにおいて、平面形状が矩形形状のパッケージの直交する
２側面をソケット本体のパッケージガイドにばねの弾性力で押し付け、パッケージをソケ
ット本体上に正確に位置決めできるようにしたものが案出された（特許文献１参照）。
【先行技術文献】
【特許文献】
【０００４】
【特許文献１】特開２００４−２９６１５５号公報
【発明の概要】
【発明が解決しようとする課題】
【０００５】
近年、電子部品の多様化に伴い、表裏の両面に電極が形成されたパッケージが使用され
るようになってきた。
【０００６】
しかしながら、従来の電気部品用ソケットは、ソケットカバーの押圧部材をパッケージ
に対して正確に位置決めできるようになっていなかったため、パッケージの表面側の電極
に接触させるコンタクトピンを押圧部材に設置したとしても、ソケットカバー側とソケッ
ト本体側との組立誤差や各種部分品の製造誤差の累積により、押圧部材のコンタクトピン
とパッケージの電極を正確に接触させることができず、正確な電気的テストができない虞
があった。
【０００７】
そこで、本発明は、表裏両面に電極が形成されたパッケージの電気的テストを正確に行
うことができる電気部品用ソケットの提供を目的とする。
【課題を解決するための手段】
【０００８】
請求項１の発明は、図１乃至図２１に示すように、ソケット本体４上のパッケージ収容
部１１に平面形状が矩形形状のパッケージ２を収容し、前記ソケット本体４に開閉可能に
取り付けられたソケットカバー３の押圧部材７で前記パッケージ２の表面を前記ソケット
本体４側へ向けて押圧することにより、前記パッケージ２の裏面に形成された電極５を前
記ソケット本体４に設置されたコンタクトピン６に接触させ、前記パッケージ２の前記電
極５と外部電気的テスト回路Ｔとを前記コンタクトピン６で電気的に接続する電気部品用
ソケット１に関するものである。
【０００９】
本発明において、
（１）．前記ソケット本体４上の前記パッケージ収容部１１に隣接する位置には、前記
パッケージ２の前記パッケージ収容部１１への移動を案内するパッケージガイド突起２６
，２８が、少なくとも、前記パッケージ２の一つの対角線上に位置する一対のコーナー部
に隙間をもって係合するように一対形成されている。また、
（２）．前記ソケット本体４上で且つ前記一対のパッケージガイド突起２６，２８の一
方側（２８）には、前記押圧部材７で前記パッケージ２の表面を前記ソケット本体４側へ
押圧する過程において、前記パッケージ２を前記一対のパッケージガイド突起２６，２８
の一方側（２８）から他方側（２６）へ向けて押圧し、前記パッケージ２のコーナー部を
前記一対のパッケージガイド突起２６，２８の他方側（２６）に接触させて、前記パッケ
ージ２を前記ソケット本体４上に位置決めするソケット本体側位置決め手段（３４，３６
）が設置されている。また、
（３）．前記ソケットカバー３には、前記押圧部材７で前記パッケージ２を押圧する過
程において、前記押圧部材７を前記一対のパッケージガイド突起２６，２８の他方側（２
６）へ弾性的に押圧し、前記押圧部材７を前記一対のパッケージガイド突起２６，２８の
他方側（２６）に接触させ、前記押圧部材７を前記ソケット本体４に対して位置決めする
押圧部材側位置決め手段（５０ａ〜５０ｄ）が設置されている。また、
（４）．前記押圧部材７には、前記ソケット本体４上の前記パッケージ収容部１１に収
容された前記パッケージ２の表面に形成された電極８と接触し、前記パッケージ２の表面
の電極８と外部電気的テスト回路Ｔとを電気的に接続するカバー側コンタクトピン１０が
設置されている。
【００１０】
請求項２の発明は、請求項１の発明に係る電気部品用ソケット１において、以下の構成
に特徴を有するものである。すなわち、図１乃至図２１に示すように、前記一対のパッケ
ージガイド突起２６，２８の他方側（２６）は、前記パッケージ２の前記コーナー部を形
成する二側面に接触するようになっている。また、前記ソケット本体側位置決め手段（３
４，３６）は、前記押圧部材７で前記パッケージ２の表面を前記ソケット本体４側へ押圧
する過程において、前記ソケットカバー３によって移動させられるカム部材３６と、前記
一対のパッケージガイド突起２６，２８の一方側（２８）に位置する前記パッケージ２の
隣り合う二側面に前記カム部材３６によって押し付けられるパッケージ位置決めばね３４
とを有している。また、前記押圧部材側位置決め手段（５０ａ〜５０ｄ）は、前記ソケッ
トカバー３に取り付けられ、前記押圧部材７を前記ソケットカバー３に対して相対変位可
能に弾性的に支持する複数の支持ばね５０ａ〜５０ｄであり、前記複数の支持ばね５０ａ
〜５０ｄのうちの少なくとも一つの前記支持ばね５０ｃが前記押圧部材７を前記一対のパ
ッケージガイド突起２６，２８の他方側（２６）に押し付けるようになっている。
【００１１】
請求項３の発明は、請求項１の発明に係る電気部品用ソケット１において、以下の構成に特徴を有するものである。すなわち、図１乃至図２２に示すように、前記一対のパッケージガイド突起２６，２８の他方側（２６）は、前記パッケージ２の前記コーナー部を形成する二側面に接触するようになっている。また、前記ソケット本体側位置決め手段（３６，５７）は、前記押圧部材７で前記パッケージ２の表面を前記ソケット本体４側へ押圧する過程において、前記ソケットカバー３によって移動させられるカム部材３６と、前記一対のパッケージガイド突起２６，２８の一方側（２８）に位置する前記パッケージ２の前記コーナー部の先端に前記カム部材３６によって押し付けられるパッケージ位置決めばね５７とを有している。また、前記押圧部材側位置決め手段（５０ａ〜５０ｄ）は、前記ソケットカバー３に取り付けられ、前記押圧部材７を前記ソケットカバー３に対して相対変位可能に弾性的に支持する複数の支持ばね５０ａ〜５０ｄであり、前記複数の支持ばね５０ａ〜５０ｄのうちの少なくとも一つの前記支持ばね５０ｃが前記押圧部材７を前記一対のパッケージガイド突起２６，２８の他方側（２６）に押し付けるようになっている。
【発明の効果】
【００１２】
本発明によれば、パッケージがソケット本体側位置決め手段によって一対のパッケージ
ガイド突起の一方に押し付けられることにより、パッケージがソケット本体のパッケージ
収容部上に位置決めされ、押圧部材が押圧部材側位置決め手段によって一対のパッケージ
ガイド突起の一方に押し付けられることにより、パッケージ収容部上に位置決めされたパ
ッケージに対して位置決めされる。その結果、本発明によれば、パッケージの裏面側の電
極とソケット本体のコンタクトピンとを正確に位置決めできると共に、パッケージの表面
側の電極と押圧部材のカバー側コンタクトピンとを正確に位置決めでき、パッケージの電
気的テストを正確に行うことができる。
【図面の簡単な説明】
【００１３】
【図１】本発明に係る電気部品用ソケットの外観斜視図であり、ソケットカバーを閉じた状態の電気部品用ソケットの外観斜視図である。
【図２】本発明に係る電気部品用ソケットの平面図であり、ソケットカバーを閉じた状態を示す電気部品用ソケットの平面図である。
【図３】本発明に係る電気部品用ソケットの正面図であり、ソケットカバーを閉じた状態を示す電気部品用ソケットの正面図である。
【図４】図３のＢ１方向から見て示す電気部品用ソケットの側面図であり、ソケットカバーを閉じた状態を示す電気部品用ソケットの左側面図である。
【図５】図３のＢ２方向から見て示す電気部品用ソケットの側面図であり、ソケットカバーを閉じた状態を示す電気部品用ソケットの右側面図である。
【図６】図２のＡ１−Ａ１線に沿って切断して示す断面図である。
【図７】本発明に係る電気部品用ソケットの外観斜視図であり、ソケットカバーを開いた状態の電気部品用ソケットの外観斜視図である。
【図８】本発明に係る電気部品用ソケットの平面図であり、ソケットカバーを開いた状態を示す電気部品用ソケットの平面図である。
【図９】本発明に係る電気部品用ソケットの正面図であり、ソケットカバーを開いた状態を示す電気部品用ソケットの正面図である。
【図１０】図９のＢ３方向から見て示す電気部品用ソケットの側面図であり、ソケットカバーを開いた状態を示す電気部品用ソケットの左側面図である。
【図１１】図９のＢ４方向から見て示す電気部品用ソケットの側面図であり、ソケットカバーを開いた状態を示す電気部品用ソケットの右側面図である。
【図１２】図１２（ａ）は電気部品用ソケットのソケットカバーを閉じる過程の第１段階を示す断面図であり、図１２（ｂ）は図１２（ａ）の一部を拡大して示す断面図である。
【図１３】図１３（ａ）は電気部品用ソケットのソケットカバーを閉じる過程の第２段階を示す断面図であり、図１３（ｂ）は図１３（ａ）の一部を拡大して示す断面図である。
【図１４】図１４（ａ）は電気部品用ソケットのソケットカバーを閉じた状態で且つソケットカバー側のコンタクトピンとパッケージの表面側電極との接触状態を示す断面図であり、図１４（ｂ）は図１４（ａ）の一部を拡大して示す断面図である。
【図１５】図１５（ａ）は電気部品用ソケットのソケットカバーを閉じた状態で且つソケットカバー側のコンタクトピンとパッケージの表面側電極及びソケット本体側のコンタクトピンとパッケージの裏面側電極との接触状態を示す断面図であり、図１５（ｂ）は図１５（ａ）の一部を拡大して示す断面図である。
【図１６】ソケットカバーにおける押圧部材の取付部構造を示す電気部品用ソケットの一部拡大断面図である。
【図１７】図３のＡ２−Ａ２線に沿って切断して模式的に示す電気部品用ソケットの一部断面図であり、押圧部材支持ばねによる押圧部材の付勢方向を示す電気部品用ソケットの一部断面図である。
【図１８】図１８（ａ）はパッケージがパッケージ位置決めばねで位置決めされる前の状態を示すソケット本体の一部平面図であり、図１８（ｂ）は図１８（ａ）のソケット本体の一部を拡大すると共にソケット本体の一部を部分的に破断して示す図である。
【図１９】図１９（ａ）はパッケージがパッケージ位置決めばねで位置決めされた状態を示すソケット本体の一部平面図であり、図１９（ｂ）は図１９（ａ）のソケット本体の一部を拡大すると共にソケット本体の一部を部分的に破断して示す図である。
【図２０】図２０（ａ）はカム部材の平面図であり、図２０（ｂ）はカム部材の正面図であり、図２０（ｃ）はカム部材の使用状態を示す図である。
【図２１】パッケージ位置決めばねの平面図である。
【図２２】本発明の電気部品用ソケットの変形例を示す図である。図２２（ａ）はパッケージがパッケージ位置決めばねで位置決めされる前の状態を示すソケット本体の一部平面図であり、図２２（ｂ）はパッケージがパッケージ位置決めばねで位置決めされた状態を示すソケット本体の一部平面図である。
【発明を実施するための形態】
【００１４】
以下、本発明の実施の形態を図面に基づき詳述する。
【００１５】
図１乃至図１１は、本実施形態に係る電気部品用ソケット１を示すものであり、表裏両
面に電極が形成されたパッケージ２のバーンインテスト等に使用される電気部品用ソケッ
ト１を示すものである。なお、図１乃至図６は、ソケットカバー３を閉じた状態の電気部
品用ソケット１を示すものである。また、図７乃至図１１は、ソケットカバー３を開いた
状態の電気部品用ソケット１を示すものである。
【００１６】
（電気部品用ソケットの概略構成）
これらの図に示すように、電気部品用ソケット１は、外部電気的テスト回路Ｔ上に設置
されるソケット本体４と、このソケット本体４に装着されてパッケージ２の裏面側電極５
と外部電気的テスト回路Ｔとを電気的に接続する複数（裏面側電極５と同数）の第１コン
タクトピン６と、ソケット本体４に回動できるように取り付けられたソケットカバー３と
、このソケットカバー３の押圧部材７に装着されてパッケージ２の表面側電極８と外部電
気的テスト回路Ｔとを電気的に接続する複数（表面側電極８と同数）の第２コンタクトピ
ン１０と、を備えている。
【００１７】
なお、パッケージ２は、平面形状が正四角形で且つ全体形状が略平板形状であり、表面
２ａの外縁を縁取るように表面側電極８が複数形成され、裏面のほぼ全域に複数の裏面側
電極５が等間隔で形成されている（図７、図１２（ｂ）等参照）。そして、このパッケー
ジ２は、ソケットカバー３を開いた状態でソケット本体４のパッケージ収容部１１上に置
かれた後、ソケットカバー３が閉じられると、ソケットカバー３の押圧部材７でソケット
本体４に押し付けられるようになっている。
【００１８】
（ソケット本体）
ソケット本体４は、大別すると、ソケットカバー取付ユニット１２と、第１コンタクト
ピン取付ユニット１３とからなっている。
【００１９】
ソケットカバー取付ユニット１２は、表面１２ａ側の平面形状が略矩形形状になってお
り、その矩形形状の表面１２ａの一辺に沿ってソケットカバー支持脚部１４が３個立設さ
れている。これらソケットカバー支持脚部１４，１４間には、ソケットカバー３の支持ア
ーム１５がそれぞれ隙間をもって係合されている。そして、複数のソケットカバー支持脚
部１４及び複数の支持アーム１５を一本の支持軸１６で串刺しにするように、ソケットカ
バー支持脚部１４の軸穴及び支持アーム１５の軸穴に支持軸１６が係合され、ソケットカ
バー３がソケット本体４に回動可能に取り付けられている。ここで、一列に配置された３
個のソケットカバー支持脚部１４のばね収容穴１７内には、支持軸１６を介して支持アー
ム１５を常時持ち上げる方向（ソケット本体４の表面（１２ａ）から上方へ遠ざける方向
）へ付勢する支持軸用ばね１８が装着されている。また、一列に配置された３個のソケッ
トカバー支持脚部１４のうち、真ん中のソケットカバー支持脚部１４と支持アーム１５と
の間には、ソケットカバー３を常時開方向へ付勢するソケットカバー用ばね２０が装着さ
れている。なお、ソケットカバー３は、ソケット本体４に対してほぼ直立した姿勢の開位
置と、ソケット本体４上に重ねられる閉位置との間で回動（約９０°回動）できるように
なっている。また、ソケットカバー支持脚部１４の軸穴は、ソケットカバー３の上下動（
図１５の±Ｚ軸方向への移動）を可能にするように、長穴になっている。
【００２０】
ソケットカバー取付ユニット１２の上部には、パッケージ２を第１コンタクトピン取付
ユニット１３のパッケージ収容部１１上に落とし込むためのパッケージ着脱窓２１が形成
されている。また、ソケットカバー取付ユニット１２の上部であって、且つ、パッケージ
着脱窓２１の近傍には、ソケットカバー３の係止爪２２に係合するフック２３が立設され
ている。
【００２１】
第１コンタクトピン取付ユニット１３は、絶縁性樹脂材料製の下部ボディ２４及びフロ
ーティングプレート２５を有している。
【００２２】
下部ボディ２４は、パッケージ２の裏面側電極５に対応するように複数の第１コンタク
トピン６が装着されている（図６、図１２（ｂ）等参照）。そして、フローティングプレ
ート２５は、下部ボディ２４に対して上下動できるように図示しない緩衝ばねで弾性的に
支持されている。また、フローティングプレート２５は、平面視した輪郭が四角形状であ
るパッケージ２の四隅に僅かな隙間をもって係合するようにパッケージガイド突起２６〜
２９が立設されており、このパッケージガイド突起２６〜２９によってパッケージ２をパ
ッケージ収容部１１に案内できる（落下させることができる）ようになっている。
【００２３】
このパッケージガイド突起２６〜２９は、パッケージ２の直交する（隣り合う）二側面
に接触できるように約９０°の交差角度となるように形成された一対の位置決め面３１，
３１と、この位置決め面３１，３１から斜め上方へ向けて開くように形成されたガイド傾
斜面３２，３２とを有している。なお、４個のパッケージガイド突起２６〜２９は、後の
説明を分かり易くするために、図８において、左下のパッケージガイド突起２６から時計
回り方向に沿って第１〜第４パッケージガイド突起とし、第１パッケージガイド突起２６
と第３パッケージガイド突起２８とがパッケージ２の一方の対角線方向に対向し、第２パ
ッケージガイド突起２７と第４パッケージガイド突起２９とがパッケージ２の他方の対角
線方向に対向するようになっている。
【００２４】
第３パッケージガイド突起２８の下部側であって且つパッケージ２のコーナー部に対向
する部分には、ばね収容凹部３３が形成されている（図１８、図１９参照）。そして、こ
の第３パッケージガイド突起２８のばね収容凹部３３には、図８，図１８及び図１９に示
すようなパッケージ位置決めばね３４の一部が収容されている。
【００２５】
図２１に示すように、パッケージ位置決めばね３４は、針金状のばね鋼等を折り曲げて
形成されており、中央に頂部３４ａが位置する略山形形状になっており、両端を外側に向
けて丸めて係止部３４ｂ，３４ｂが形成されている。パッケージ位置決めばねの係止部３
４ｂ，３４ｂは、固定ピン３５，３５に引っ掛けられて、フローティングプレート２５の
パッケージ収容部１１の外側近傍位置に固定ピン３５，３５と共に固定される。また、パ
ッケージ位置決めばね３４は、頂部３４ａと係止部３４ｂの間（ばね作用部３４ｃ）が内
側に滑らかに湾曲するように形成されている。そして、パッケージ位置決めばね３４の頂
部３４ａは、フローティングプレート２５の第３パッケージガイド突起２８に取り付けら
れたカム部材３６のカム面３７と接触するようになっている。
【００２６】
カム部材３６は、図２０に示すように、ロッド状に形成されており、カム面３７の上端
側にカム面３７よりも大径の操作部３８が形成されている。このカム部材３６は、操作部
３８の下面と第３パッケージガイド突起２８の上面との間に収容されたカム用ばね４０で
弾性的に支持されている。そして、このカム部材３６は、図７及び図２０（ｃ）に示すよ
うに、ソケットカバー３が開位置にある状態において、第３パッケージガイド突起２８上
への突出量が最大となる待機位置にカム用ばね４０で弾性的に支持されている。
【００２７】
カム部材３６の操作部３８は、ソケットカバー３を閉じる過程において、ソケットカバ
ー３が所定角度まで閉じるとソケットカバー３の下面に当接し、更にソケットカバー３が
閉じられると、ソケットカバー３と共にカム用ばね４０を押し縮めて下降するようになっ
ている。
【００２８】
カム部材３６のカム面３７は、操作部３８に接続された大径円筒面部３７ａと、この大
径円筒面部３７ａから下方へ向かって縮径するテーパ面部３７ｂと、このテーパ面部３７
ｂから下方へ向かって伸びる小径円筒面部３７ｃとからなっている。そして、このカム部
材３６のカム面３７は、ソケットカバー３によってカム部材３６の操作部３８がカム用ば
ね４０のばね力に抗して押し下げられると、小径円筒面部３７ｃ，テーパ面部３７ｂ，大
径円筒面部３７ａの順にパッケージ位置決めばね３４の頂部３４ａに接触する。
【００２９】
ここで、カム部材３６の小径円筒面部３７ｃがパッケージ位置決めばね３４の頂部３４
ａに接触している場合、パッケージ位置決めばね３４はカム部材３６で変形させられるこ
とがなく、パッケージ位置決めばね３４はパッケージ収容部１１上に置かれたパッケージ
２に接触することがない（図１８参照）。また、カム部材３６のテーパ面部３７ｂがパッ
ケージ位置決めばね３４の頂部３４ａに接触している状態において、テーパ面部３７ｂと
パッケージ位置決めばね３４の頂部３４ａとの接触位置がテーパ面部３７ｂの小径側から
大径側へ向かって変化すると、パッケージ位置決めばね３４のばね作用部３４ｃがパッケ
ージ収容部１１上のパッケージ２に向かって近づくように張出変形し、パッケージ位置決
めばね３４のばね作用部３４ｃがパッケージ収容部１１上に置かれたパッケージ２の隣り
合う側面に接触し、パッケージ位置決めばね３４のばね作用部３４ｃがパッケージ２を第
１パッケージガイド突起２６へ向けて（矢印Ｆ１で示す方向へ向けて）押圧する。カム面
３７の大径円筒面部３７ａがパッケージ位置決めばね３４の頂部３４ａに接触すると、パ
ッケージ２がパッケージ位置決めばね３４のばね力で第１パッケージガイド突起２６の位
置決め面３１，３１に押し付けられ、パッケージ２がフローティングプレート２５のパッ
ケージ収容部１１上に確実に位置決めされる（図１９参照）。なお、パッケージ２は、図
８，図１８乃至図１９において、パッケージ位置決めばね３４の一対のばね作用部３４ｃ
，３４ｃによってパッケージ２の一つの対角線方向（第３パッケージガイド突起２８側か
ら第１パッケージガイド突起２６側へ向かう対角線方向）へ付勢される。
【００３０】
また、カム部材３６は、小径円筒面部３７ｃの下端に、小径円筒面部３７ｃよりも大径
で且つ円板状の抜け止め突起３９が固定され（例えば、ねじで固定され）、ソケットカバ
ー３が開位置にある状態において、カム用ばね４０のばね力でフローティングプレート２
５の下面に突き当てられ、待機位置に弾性的に保持される（図２０（ｂ）〜（ｃ）参照）
。
【００３１】
ここで、図１４に示すように、フローティングプレート２５は、ソケットカバー３が閉
じられた状態において、図示しない緩衝ばねのばね力でパッケージ２の表面側電極８を押
圧部材７の第２コンタクトピン１０に押し付ける。その後、フローティングプレート２５
は、図１５に示すように、ソケットカバー３が支持軸用ばね１８及び図示しない緩衝ばね
のばね力に抗して押圧手段（ロボットアーム、押圧用ローラ等）によって押し下げられる
と、支持軸用ばね１８及び緩衝ばねを押し縮めて降下し、パッケージ２の裏面側電極５と
下部ボディ２４に装着された第１コンタクトピンと６を接触させるようになっている。な
お、このパッケージ２の裏面側電極５と第１コンタクトピン６との接触により、パッケー
ジ２の裏面側電極５と外部電気的テスト回路Ｔとが第１コンタクトピン６を介して電気的
に接続される。また、パッケージ２の表面側電極８と第２コンタクトピン１０との接触に
より、パッケージ２の表面側電極８と外部電気的テスト回路Ｔとが第２コンタクトピン１
０、基板４１及び通電用配線（ワイヤー）４２を介して電気的に接続される。
【００３２】
（ソケットカバー）
ソケットカバー３は、ソケットカバー本体４３と押圧部材７とを有している。そして、
ソケットカバー本体４３には、押圧部材７を収容する押圧部材収容凹部４４が形成されて
いる。このソケットカバー本体４３の押圧部材収容凹部４４は、押圧部材７が移動できる
ように、押圧部材７との間に隙間が生じる大きさに形成されている。そして、このソケッ
トカバー本体４３の押圧部材収容凹部４４内には、ソケットカバー本体４３に取り付けら
れた複数の吊り下げピン４５によって押圧部材７がＸ−Ｙ平面内で移動できるように吊り
下げられている（図１６参照）。また、ソケットカバー本体４３の押圧部材収容凹部４４
の天井面４４ａと押圧部材７との間には、押圧部材７を押圧部材収容凹部４４から押し出
す方向（天井面４４ａから離す−Ｚ軸方向）へ付勢する押圧部材付勢ばね４６が複数配置
されている（図６参照）。なお、この押圧部材付勢ばね４６は、図１５に示すように、ソ
ケットカバー３が閉じられた後に押圧手段で押し下げられると、パッケージ２及びフロー
ティングプレート２５を図示しない緩衝ばねのばね力に抗して押し下げ、第１コンタクト
ピン６とパッケージ２の裏面側電極５とを接触させ、第２コンタクトピン１０とパッケー
ジ２の表面側電極８とを接触させるばね力が生じるようになっている。
【００３３】
押圧部材７は、プレッシャプレート本体４７，基板４１，コンタクトピン保持プレート
４８等からなっており、コンタクトピン保持プレート４８が基板４１を介してプレッシャ
プレート本体４７に固定されている（図６参照）。
【００３４】
この押圧部材７のプレッシャプレート本体４７は、図１７に示すように、平面視した際
の外形形状が略四角形であり、その４隅がソケットカバー本体４３に取り付けられた押圧
部材支持ばね５０ａ〜５０ｄによってそれぞれ対角線Ｌ１，Ｌ２方向に押圧されるように
なっている。ここで、押圧部材支持ばね５０ａ〜５０ｄは、ソケットカバー本体４３のば
ね収容穴５１内に一端側が収容され、プレッシャプレート本体４７のばね収容穴５２内に
他端側が収容されている。押圧部材支持ばね５０ｃは、他の押圧部材支持ばね５０ａ，５
０ｂ，５０ｄよりも大きなばね力をプレッシャプレート本体４７に作用させることができ
るようになっている。また、押圧部材支持ばね５０ａ，５０ｂ，５０ｄは、同じ大きさの
ばね力をプレッシャプレート本体４７に作用させることができるようになっている。その
結果、プレッシャプレート本体４７は、押圧部材支持ばね５０ｃ側から押圧部材支持ばね
５０ａ側へ向けて（対角線Ｌ１に沿った矢印Ｆ２方向へ向けて）付勢され、対角線Ｌ１に
直交する突き当て面５３がソケットカバー本体４３の対角線Ｌ１に直交する位置決め面４
３に突き当てられ、ソケットカバー本体４３に対して位置決めされる。そして、図１２乃
至図１５に示すように、ソケットカバー３が閉じられる過程において、押圧部材７は、押
圧部材支持ばね５０ａ〜５０ｄのばね力を受けて第１パッケージガイド突起２６のガイド
傾斜面３２乃至位置決め面３１に沿ってスライド接触するようになっている（図１７参照
）。
【００３５】
図６及び図１４（ｂ）に示すように、コンタクトピン保持プレート４８には、パッケー
ジ２の表面側電極８に押圧される第２コンタクトピン１０がパッケージ２の表面側電極８
に対応するように装着されている。なお、第２コンタクトピン１０がパッケージ２の表面
側電極８に接触すると、パッケージ２と外部電気的テスト回路Ｔとが第２コンタクトピン
１０，基板４１及び通電用配線（ワイヤー）４２を介して電気的に接続されるようになっ
ている。
【００３６】
（作動状態）
本実施形態に係る電気部品用ソケット１は、ソケットカバー３を図７乃至図１１に示し
た開位置（全開位置）から閉じる方向へ回動させると、第１パッケージガイド突起２６に
対向するコンタクトピン保持プレート４８（押圧部材７）の先端側が第１パッケージガイ
ド突起２６のガイド傾斜面３２に当接する（図１２参照）。
【００３７】
この図１２の状態から更にソケットカバー３を閉じる方向へ回動させると、コンタクト
ピン保持プレート４８（押圧部材７）が押圧部材支持ばね５０ｃを押し縮めて第１パッケ
ージガイド突起２６のガイド傾斜面３２に沿ってスライドしながら下降移動する（図１３
参照）。
【００３８】
この図１３の状態から更にソケットカバー３を閉じる方向へ回動させると、コンタクト
ピン保持プレート４８（押圧部材７）が押圧部材支持ばね５０ｃのばね力で第１パッケー
ジガイド突起２６の位置決め面３１に押し付けられた状態で下降移動し、第２コンタクト
ピン１０の先端がフローティングプレート２５のパッケージ収容部１１に支持されたパッ
ケージ２の表面側電極８に接触すると共に、コンタクトピン保持プレート４８（押圧部材
７）がパッケージ２に接触する（図１４参照）。このコンタクトピン保持プレート４８（
押圧部材７）がパッケージ２に接触する位置までソケットカバー３が閉じ方向へ回動する
と、ソケットカバー３の係止爪２２がソケット本体４のフック２３に引っ掛かる（図１４
参照）。これにより、ソケットカバー３は、ソケットカバー用ばね２０のばね力で開いて
しまうことがない。
【００３９】
この図１４の状態からソケットカバー３が図示しない押圧手段（ロボットアーム、押圧
用ローラ等）によって押し下げられると、コンタクトピン保持プレート４８（押圧部材７
）が押圧部材支持ばね５０ｃのばね力で第１パッケージガイド突起２６の位置決め面３１
に押し付けられた状態で下降移動すると共に、コンタクトピン保持プレート４８（押圧部
材７）が支持軸用ばね１８及び緩衝ばねを押し縮めてパッケージ２及びフローティングプ
レート２５と共に下降移動し、パッケージ２の裏面側電極５と下部ボディ２４に装着され
た第１コンタクトピン６とを接触させるようになっている（図１５参照）。
【００４０】
この図７乃至図１１のソケットカバー３を開いた状態から図１２乃至図１５に至るソケ
ットカバー３を閉じるまでの過程において、ソケットカバー３の閉じ方向への回動角度が
所定角度になると、ソケットカバー３がカム部材３６の操作部３８に当接し、ソケットカ
バー３がカム部材３６をカム用ばね４０のばね力に抗して押し下げる。そうすると、カム
部材３６がパッケージ位置決めばね３４の頂部３４ａを押し、パッケージ位置決めばね３
４の一対のばね作用部３４ｃ，３４ｃがパッケージ２の隣り合う側面に押し付けられ、パ
ッケージ位置決めばね３４がパッケージ２を第１パッケージガイド突起２６に押し付け、
パッケージ２をパッケージ位置決めばね３４と第１パッケージガイド突起２６とでフロー
ティングプレート２５のパッケージ収容部１１上に位置決めするようになっている（図１
８乃至図１９参照）。この際、パッケージ２は、第１パッケージガイド突起２６に対向す
るコーナー部を形作る隣り合う側面が第１パッケージガイド突起２６の位置決め面３１，
３１に当接し、第３パッケージガイド突起２８に対向するコーナー部を形作る隣り合う側
面がパッケージ位置決めばね３４のばね作用部３４ｃ，３４ｃに当接し、Ｘ−Ｙ平面内で
回動することなく、位置決めされた状態で保持される（図１９参照）。その結果、パッケ
ージ２の裏面側電極と下部ボディ２４の第１コンタクトピン６が確実に接触する。
【００４１】
また、コンタクトピン保持プレート４８（押圧部材７）は、押圧部材支持ばね５０ｃで
第１パッケージガイド突起２６の位置決め面３１，３１に押し付けられて、フローティン
グプレート２５及びこのフローティングプレート２５上に位置決めされて保持されたパッ
ケージ２に対して位置決めされることになる。その結果、パッケージ２の表面側電極８と
コンタクトピン保持プレート４８（押圧部材７）の第２コンタクトピン１０が確実に接触
する。
【００４２】
これにより、パッケージ２の裏面側電極５と外部電気的テスト回路Ｔとが第１コンタク
トピン６を介して電気的に接続されると共に、パッケージ２の表面側電極８と外部電気的
テスト回路Ｔとが第２コンタクトピン１０，基板４１及び通電用配線４２を介して電気的
に接続され、パッケージ２の正確な電気的テストが行われる。
【００４３】
なお、第１パッケージガイド突起２６の位置決め面３１，３１の開き角度は、パッケー
ジ２の直交する二側面で形作られるコーナー角度よりも僅かに小さくなるように形成され
ると共に、プレッシャプレート本体４７の直交する二側面で形作られるコーナー角度より
も僅かに小さく形成され、端縁５５，５５がパッケージ２及びプレッシャプレート本体４
７に接触するように設定されている（図１５，図１７，図１９参照）。また、ソケットカ
バー３の係止爪２２は、図１４及び図１５において、支持ピン５６を回動中心として、反
時計回り方向へ図示しないばねで付勢されている。
【００４４】
また、本実施形態に係る電気部品用ソケット１は、ソケットカバー３の係止爪２２とソ
ケット本体４のフック２３との係合を解除し、ソケットカバー３を図１４の閉位置から図
７乃至図１１の開位置まで開く過程において、ソケットカバー３とカム部材３６との接触
が解除され、カム部材３６がカム用ばね４０の弾性復元に伴って元の位置に復帰し、パッ
ケージ位置決めばね３４も図１９に示した姿勢から図１８に示した元の姿勢に弾性復元し
、パッケージ位置決めばね３４とパッケージ２との接触が解除される。これにより、パッ
ケージ２をソケットカバー取付ユニット１２のパッケージ着脱窓２１から容易に取り出す
ことができる（図７，図８参照）。
【００４５】
（本実施形態の効果）
以上のように、本実施形態の電気部品用ソケット１は、パッケージ２をパッケージ位置
決めばね３４によって第１パッケージガイド突起２６に押し付けることにより、パッケー
ジ２をフローティングプレート２５のパッケージ収容部１１上に位置決めすることができ
、押圧部材７を押圧部材支持ばね５０ａ〜５０ｄ（特に、押圧部材支持ばね５０ｃのばね
力）によって第１パッケージガイド突起２６に押し付けることにより、押圧部材７をパッ
ケージ収容部１１上に位置決めされたパッケージ２に対して位置決めすることができる。
したがって、パッケージ２の裏面側電極５と下部ボディ２４の第１コンタクトピン６とを
正確に位置決めできると共に、パッケージ２の表面側電極８と押圧部材７の第２コンタク
トピン１０とを正確に位置決めでき、パッケージ２の電気的テストを正確に行うことがで
きる。
【００４６】
なお、第１コンタクトピン６及び第２コンタクトピン１０は、上記実施形態において示
した配置例に限定されず、パッケージ２の裏面側電極５及び表面側電極８の配列状態に対
応して配置される。
【００４７】
また、上記実施形態は、パッケージガイド突起として、第１〜第４パッケージガイド突
起２６〜２９の４個をフローティングプレート２５に形成する態様を例示したが、第２パ
ッケージガイド突起２７及び第４パッケージガイド突起２９を省略し、少なくとも、第１
パッケージガイド突起２６及び第３パッケージガイド突起２８を形成する態様としてもよ
い。
【００４８】
（変形例）
図２２は、本発明に係る電気部品用ソケット１の変形例を示す図である。なお、図２２
（ａ）は、パッケージ２がパッケージ位置決めばね５７で位置決めされる前の状態を示す
ソケット本体４の一部であるフローティングプレート２５の平面図であり、図１８（ｂ）
に対応する図である。また、図２２（ｂ）は、パッケージ２がパッケージ位置決めばね５
７で位置決めされた状態を示すソケット本体の一部であるフローティングプレート２５の
平面図であり、図１９（ｂ）に対応する図である。
【００４９】
本変形例に係る電気部品用ソケット１は、パッケージ位置決めばね３４と第１パッケー
ジガイド突起２６とでパッケージ２の側面の４箇所を支持するようになっている上述の実
施形態に対し、パッケージ位置決めばね５７と第１パッケージガイド突起（２６）とでパ
ッケージ２の側面を３点支持するようになっている点に特徴を有している（図１９（ａ）
，図２２（ｂ）参照）。すなわち、本変形例に係る電気部品用ソケット１は、パッケージ
位置決めばね５７の形状がパッケージ２のコーナー部の先端（隣り合う二側面の交差部分
）に当接するように変形され（図２２（ｂ）参照）、パッケージ位置決めばね５７に当接
するカム部材３６の取付位置をパッケージ位置決めばね５７の形状に対応させて変更し、
第３パッケージガイド突起２８のばね収容凹部５８の形状をパッケージ位置決めばね５７
の形状に対応させて変更したものである（図２２（ａ），（ｂ）参照）。
【００５０】
このような構成の電気部品用ソケット１は、パッケージ位置決めばね５７によってパッ
ケージ２を対角線方向（矢印Ｆ１の方向）へ付勢し、パッケージ２の隣り合う側面を第１
パッケージガイド突起２６の位置決め面３３，３３の端縁５５，５５に当接させ、パッケ
ージ２をフローティングプレート２５上に正確に位置決めできる（図１９及び図２２参照
）。
【００５１】
なお、本変形例によれば、第２パッケージガイド突起２７及び第４パッケージガイド突
起２９は、パッケージ２がフローティングプレート２５のパッケージ収容部１１上に落下
するのをガイドする機能を有すると共に、パッケージ２がＸ−Ｙ平面内において回動する
のを阻止する機能をも有する。
【符号の説明】
【００５２】
１……電気部品用ソケット、２……パッケージ、３……ソケットカバー、４……ソケッ
ト本体、５……（裏面側）電極、６……（第１）コンタクトピン、１０……（第２）コン
タクトピン（カバー側コンタクトピン）、１１……パッケージ収容部、２６……（第１）
パッケージガイド突起（他方側）、２７……（第２）パッケージガイド突起、２８……（
第３）パッケージガイド突起（一方側）、２９……（第４）パッケージガイド突起、３４
……パッケージ位置決めばね（ソケット本体側位置決め手段）、３６……カム部材（ソケ
ット本体側位置決め手段）、５０ａ〜５０ｄ……押圧部材支持ばね（押圧部材位置決め手
段、支持ばね）、５７……パッケージ位置決めばね（ソケット本体側位置決め手段）
【図１】
0005687084.tif 000002
【図２】
0005687084.tif 000003
【図３】
0005687084.tif 000004
【図４】
0005687084.tif 000005
【図５】
0005687084.tif 000006
【図６】
0005687084.tif 000007
【図７】
0005687084.tif 000008
【図８】
0005687084.tif 000009
【図９】
0005687084.tif 000010
【図１０】
0005687084.tif 000011
【図１１】
0005687084.tif 000012
【図１２】
0005687084.tif 000013
【図１３】
0005687084.tif 000014
【図１４】
0005687084.tif 000015
【図１５】
0005687084.tif 000016
【図１６】
0005687084.tif 000017
【図１７】
0005687084.tif 000018
【図１８】
0005687084.tif 000019
【図１９】
0005687084.tif 000020
【図２０】
0005687084.tif 000021
【図２１】
0005687084.tif 000022
【図２２】
0005687084.tif 000023